(57)【要約】 【課題】  ゴミ箱の設置が大がかりでなく且つ高コストにならず、また、如何なる路面条件であったとしても転倒することなく見栄え良く設置でき、更に、既存の自動販売機にも比較的簡単に設置できる自動販売機のゴミ箱保持具を提供すること。【解決手段】  自動販売機の側方にゴミ箱９を路面から浮かした状態で取り付けるためのゴミ箱保持具１である。自動販売機の底面に座台を取り付けると共に前記座台２の一部を自動販売機の一方の側面側に突出させてあり、自動販売機から突出する座台２部分上に、ゴミ箱９を吊り下げるための吊り下げ部３を備えている。また、自動販売機の底面に座台２を取り付けると共に前記座台２の一部を自動販売機の一方の側面側に突出させてあり、自動販売機から突出する座台２部分をゴミ箱９が置かれる載置部とし、前記載置部の上方に当該載置部に置かれたゴミ箱９の水平方向の移動を規制する保持部５を設けてある。【選択図面】  図１
2005346201.tif 000002
【特許請求の範囲】
【請求項１】
自動販売機の側方にゴミ箱を路面から浮かした状態で取り付けるためのゴミ箱保持具であって、自動販売機の底面に座台を取り付けると共に前記座台の一部を自動販売機の一方の側面側に突出させてあり、自動販売機から突出する座台部分上に、ゴミ箱を吊り下げるための吊り下げ部を備えていることを特徴とする自動販売機のゴミ箱保持具。
【請求項２】
自動販売機の側方にゴミ箱を路面から浮かした状態で取り付けるためのゴミ箱保持具であって、自動販売機の底面に座台を取り付けると共に前記座台の一部を自動販売機の一方の側面側に突出させてあり、自動販売機から突出する座台部分をゴミ箱が置かれる載置部とし、前記載置部の上方に当該載置部に置かれたゴミ箱の水平方向の移動を規制する保持部を設けてあることを特徴とする自動販売機のゴミ箱保持具。
【請求項３】
自動販売機の側方にゴミ箱を路面から浮かした状態で取り付けるためのゴミ箱保持具であって、自動販売機の底部に取り付けられるガイド部と前記ガイド部に沿って自動販売機の一方の側面に向かって移動する移動体とを備え、前記移動体に座台を取り付け又は固定すると共に、前記座台は自動販売機の底部内と底部外に移動できるように設定してあり、前記底部外に移動した座台上に、ゴミ箱を吊り下げるための吊り下げ部を備えていることを特徴とする自動販売機のゴミ箱保持具。
【請求項４】
自動販売機の側方にゴミ箱を路面から浮かした状態で取り付けるためのゴミ箱保持具であって、自動販売機の底部に取り付けられるガイド部と前記ガイド部に沿って自動販売機の一方の側面に向かって移動する移動体とを備え、前記移動体に座台を取り付け又は固定すると共に、前記座台は自動販売機の底部内と底部外に移動できるように設定してあり、前記底部外に移動した座台部分をゴミ箱が置かれる載置部とし、前記載置部の上方に前記載置部に置かれたゴミ箱の水平方向の移動を規制する保持部を設けてあることを特徴とする自動販売機のゴミ箱保持具。
【請求項５】
前記吊り下げ部を座台上に取り付けるための取付部とを備えていることを特徴とする請求項１又は３に記載の自動販売機のゴミ箱保持具。
【請求項６】
前記保持部を台座上に取り付けるための取付部を設けてあることを特徴とする請求項２又は４に記載の自動販売機のゴミ箱保持具。
【発明の詳細な説明】
【技術分野】
【０００１】
この発明は、清涼飲料水、酒類、お菓子等の自動販売機に関し、特に自動販売機のゴミ箱保持具に関するものである。
【背景技術】
【０００２】
自動販売機は、大部分の販売物が時間に関係なく購入できることから、老若男女を問わず、その利用者は非常に多い。近年は国外、首都圏内・外を問わずあらゆる所に設置されており、設置台数は国内だけでも５００万台以上と言われている。
【０００３】
このように、自動販売機は、その便利さから非常に人気があるが、その反面、自動販売機の存在自体を疑問視する声も聞かれる。その理由は、以下の（１）（２）に示すようなことが多い。
（１）自動販売機の設置場所が必ずしも平面上の安定した場所であるわけではなく、このためゴミ箱が設置されていない場合がある。このような場合、販売対象が飲料水である場合には、空き缶や空になったペットボトルがその周辺に置かれたり、投げ捨てられたりするため、近所からの苦情も非常に多い。
（２）強風や地震等により簡単にゴミ箱が転倒して、その内部のゴミが近辺に散乱し、自動販売機付近だけでなく、かなり離れた場所までもゴミが散乱することがある。
【０００４】
そこで、企業側としても上記問題を解決するため、自動販売機内にゴミ箱を有するものを提案している（例えば、特許文献１。）が、この形態では自動販売機の構造が大がかりになると共に高コストとなるので、その設置台数や設置場所は限られていた。
【０００５】
また、既存の自動販売機に新たにゴミ箱を不用意に転倒しないように取り付けることはが困難であり、たとえできたとしても見栄えが悪いものにならざるを得なかった。
【０００６】
したがって、自動販売機を取り扱う業界では、ゴミ箱の設置が大がかりでなく且つ、高コストにならず、また、如何なる路面条件であったとしても転倒することなく見栄え良く設置でき、更に、既存の自動販売機にも簡単に設定できる自動販売機のゴミ箱保持具が開発されることを待ち望んでいる。
【特許文献１】特開２００１−１０７５８７号
【発明の開示】
【発明が解決しようとする課題】
【０００７】
そこでこの発明では、ゴミ箱の設置が大がかりでなく且つ高コストにならず、また、如何なる路面条件であったとしても転倒することなく見栄え良く設置でき、更に、既存の自動販売機にも比較的簡単に設置できる自動販売機のゴミ箱保持具を提供することを課題とする。
【課題を解決するための手段】
【０００８】
（請求項１記載の発明）
この発明の自動販売機のゴミ箱保持具は、自動販売機の側方にゴミ箱を路面から浮かした状態で取り付けるためのゴミ箱保持具であって、自動販売機の底面に座台を取り付けると共に前記座台の一部を自動販売機の一方の側面側に突出させてあり、自動販売機から突出する座台部分上に、ゴミ箱を吊り下げるための吊り下げ部を備えている。
【０００９】
（請求項２記載の発明）
この発明の自動販売機のゴミ箱保持具は、自動販売機の側方にゴミ箱を路面から浮かした状態で取り付けるためのゴミ箱保持具であって、自動販売機の底面に座台を取り付けると共に前記座台の一部を自動販売機の一方の側面側に突出させてあり、自動販売機から突出する座台部分をゴミ箱が置かれる載置部とし、前記載置部の上方に当該載置部に置かれたゴミ箱の水平方向の移動を規制する保持部を設けてある。
【００１０】
（請求項３記載の発明）
この発明の自動販売機のゴミ箱保持具は、自動販売機の側方にゴミ箱を路面から浮かした状態で取り付けるためのゴミ箱保持具であって、自動販売機の底部に取り付けられるガイド部と前記ガイド部に沿って自動販売機の一方の側面に向かって移動する移動体とを備え、前記移動体に座台を取り付け又は固定すると共に、前記座台は自動販売機の底部内と底部外に移動できるように設定してあり、前記底部外に移動した座台上に、ゴミ箱を吊り下げるための吊り下げ部を備えている。
【００１１】
（請求項４記載の発明）
この発明の自動販売機のゴミ箱保持具は、自動販売機の側方にゴミ箱を路面から浮かした状態で取り付けるためのゴミ箱保持具であって、自動販売機の底部に取り付けられるガイド部と前記ガイド部に沿って自動販売機の一方の側面に向かって移動する移動体とを備え、前記移動体に座台を取り付け又は固定すると共に、前記座台は自動販売機の底部内と底部外に移動できるように設定してあり、前記底部外に移動した座台部分をゴミ箱が置かれる載置部とし、前記載置部の上方に前記載置部に置かれたゴミ箱の水平方向の移動を規制する保持部を設けてある。
【００１２】
（請求項５記載の発明）
この発明の自動販売機のゴミ箱保持具は、上記請求項１又は３に記載の発明に関し、前記吊り下げ部を座台上に取り付けるための取付部とを備えていることを特徴とする請求項１又は３に記載の自動販売機のゴミ箱保持具。
【００１３】
（請求項６記載の発明）
この発明の自動販売機のゴミ箱保持具は、上記請求項２又は４に記載の発明に関し、前記保持部を台座上に取り付けるための取付部を設けてある。
【発明の効果】
【００１４】
この発明の自動販売機のゴミ箱保持具によると、ゴミ箱の設置が大がかりでなく且つ高コストにならず、また、如何なる路面条件であったとしても転倒することなく簡単に設置でき、更に、既存の自動販売機にも比較的簡単に設置できる。
【発明を実施するための最良の形態】
【００１５】
以下にこの発明の自動販売機のゴミ箱保持具を実施するための最良の形態としての実施例について詳細に説明する。
【実施例１】
【００１６】
図１はこの発明の実施例１の自動販売機Ｊのゴミ箱保持具１の斜視図、図２は前記ゴミ箱保持具１の分解斜視図、図３は自動販売機Ｊに設置されたゴミ箱保持具１によりゴミ箱９が吊り下げられている状態の部分断面図を示している。
【００１７】
（ゴミ箱保持具１の取付態様及び構成について）
このゴミ箱保持具１は、図１に示すように、自動販売機Ｊの側方にゴミ箱９を路面から浮かした状態で取り付けるようにしたものであり、自動販売機Ｊの底面にボルト止めされ且つ自動販売機Ｊの一方の側面側に突出した座台２を、利用して設置されている。
【００１８】
ここで、ゴミ箱保持具１は、図１や図２に示すように、上記座台２と、前記座台２上でゴミ箱Ｇを吊り下げるための吊り下げ部３と、前記吊り下げ部３を座台２上に取り付けるための取付部４とを備えている。
【００１９】
座台２は、図１や図２に示すように、長方形状の剛性の高い板材により構成されており、ボルト止めされる半分を自動販売機Ｊの底部内に位置させ、他の半分を自動販売機Ｊの側面側に突出させている。また、この座台２は、図２に示すように、自動販売機Ｊの側面側に突出している部分の四隅にはそれぞれネジ孔２０を穿設してある。
【００２０】
吊り下げ部３は、図１や図２に示すように、角部材を平面視方形に形成した枠体３０と、前記枠体３０の四隅に形成されたネジ挿通孔３１とから構成されている。
【００２１】
取付部４は、図１や図２に示すように、丸棒状の本体４０の上端に雌ネジ部４１を形成すると共に下端に雄ネジ部４２を突設させるようにして構成されている。
【００２２】
（ゴミ箱９の基本的構成について）
このゴミ箱９は、図３に示すように、容器本体９０と、ゴミ投棄孔を有する蓋体９１とから構成されており、両者は共に開放部を構成する外壁部分に外側に張り出す鍔部９０ａ、９１ａを具備している。
【００２３】
なお、ゴミ箱９では、容器本体９０の胴部が上記ゴミ箱保持具１の枠体３０を通過できる寸法となっているが、鍔部９０ａ部分は通過できない寸法となっている。
【００２４】
（ゴミ箱保持具１を組み立て及び設置について）
このゴミ箱保持部１は、以下のようにして自動販売機Ｊの側面に設置される。
(1) 先ず、自動販売機Ｊの底面に上記した取り付け位置となるように座台２をボルトＢにより止めする。この取付状態において座部２は図３に示すように、路面から浮いた状態となっている。
(2) 次に、座台２のネジ孔２０に取付部４の雄ネジ部４２をねじ込んで、座台２上に４本の取付部４を立設させる。
(3) 続いて、枠体３０のネジ挿通孔３１と取付部４の雌ネジ部４１とを平面視で位置合わせをした状態で、皿ネジＢ１をネジ挿通孔３１を介して雌ネジ部４１にねじ込み、吊り下げ部３を座台２の上方に固定する。
(4) 上記した(1) 〜(3) に示した簡単な作業で、図１や図３に示すように、自動販売機Ｊの側方にゴミ箱保持具１を設置できる。
【００２５】
なお、前記ゴミ箱保持具１によると、上記ゴミ箱９は、図３に示すように、鍔部９０ａが枠体３０の上面に載る態様で吊り下がることになる。
【００２６】
（このゴミ箱保持具１を使用した場合の優れた効果について）
(1) 上記した如くゴミ箱保持具１は、座台２、吊り下げ部３と取付部４である僅か三種類の部材でできており、組立作業も比較的簡単である。つまり、このゴミ箱保持具１は大がかりでなく、高コストにならない。また、前記の如く大がかりではないので見栄えもよくゴミ箱９を設置できる。
(2) 図３に示す如く設置される路面条件等が悪くても、ゴミ箱９は座部２の上方に位置する枠体３０で吊り下げる態様で保持されるので、自動販売機Ｊが適正に設置できる限りにおいては、ゴミ箱９を自動販売機Ｊの側面側において適正に設置される。また、強風時や地震時においても、自動販売機Ｊが転倒しない限りゴミ箱９が転倒するようなことがない。
(3) （ゴミ箱保持具１を組み立て及び設置について）の欄で述べたように、既存の自動販売機Ｊにも比較的簡単に設置できる。
【００２７】
（類似する形態のゴミ箱保持具１について）
このゴミ箱保持具１は、図１〜図３に示したものとほとんど変わらないが、図４に示すように、自動販売機Ｊの側面側に突出する座台２部分をゴミ箱９が置かれる載置部とし、前記載置部の上方に当該載置に置かれたゴミ箱９の水平方向の移動を規制する枠状の保持部５を設けると共、に前記保持部５を台座２上に取り付けるための取付部４を設けてある。
【００２８】
ここで、このゴミ箱保持具１が適用されるゴミ箱９は、図４に示すように、容器本体９０と、ゴミ投棄孔を有する蓋体９１とから構成されており、両者が共に開放部を構成する外壁部分に外側に張り出す鍔部９０ａ、９１ａを有していないものである。
【００２９】
このゴミ箱保持具１においても、（このゴミ箱保持具１を使用した場合の優れた効果について）の欄で述べた通りの効果を奏することが明らかである。
【実施例２】
【００３０】
図５はこの発明の実施例２の自動販売機Ｊのゴミ箱保持具１の斜視図、図６はスライドレール６を介して座台２が自動販売機Ｊに取り付けられており、前記座台２が自動販売機Ｊの底部内に位置している状態の斜視図、図７は座台２が自動販売機Ｊの底部外に位置している状態の斜視図、図８は前記スライドレール６の断面図を示している。
【００３１】
この実施例２のゴミ箱保持具１は、図５に示すように、ゴミ箱９を保持する基本的構造は実施例１と同様であるが、座台２がスライドレール６を介して自動販売機Ｊに取り付けられており、前記座台２が図６や図７に示すように、自動販売機Ｊの底部内と底部外（自動販売機Ｊの側面側）の間で移動できるようになっている点で相違している。
【００３２】
したがって、この実施例２については実施例１との相違点を種として説明する。
【００３３】
この実施例２のゴミ箱保持具１は、図５〜図７に示すように、二本のスライドレール６が自動販売機Ｊの底部にボルト止めされており、前記スライドレール６は、ガイドレール６０（ガイド部）と、前記ガイドレール６０に沿って移動する移動部６１とから構成されている。そして、座台２は図５〜図７に示すように、移動部６１の先端部に固定又は取り付けられている。
【００３４】
ここで、上記スライドレール６において、ガイドレール６０と移動部６１との間には図８に示すように、樹脂製の滑動板６２を設けてあり、これによりガイドレール６０に対して移動部６１が比較的円滑に移動できるようにしてある。また、スライドレール６では、座台２が図６に示す如く完全に自動販売機Ｊの底部内にある状態、及び座台２が図７に示す如く完全に自動販売機Ｊの底部外にある状態で、ガイドレール６０に対して移動部６１が位置決めできる手段を施してある。
【００３５】
この実施例２の自動販売機Ｊは、基本的には上記実施例１と同じであるから、実施例１と同等の効果を奏することが明らかである。
【００３６】
（他の実施の形態）
上記実施例１、２のゴミ箱保持具１を、図９及び図１０に示すような構成とすることができる。すなわち、座台２の上面に平面視で角形状の溝２３を形成し、前記溝２３に角形状の枠体７の下縁を嵌め込むようにして、ゴミ箱保持具１を構成するようにしてもよい。この場合、枠体７は図１０に示すように、座台（載置部）上に置かれたゴミ箱９の水平方向の移動を規制する保持部として機能する。他方、枠体７は、その上縁によりゴミ箱９の鍔部９０ａ、９１ａを受け持つようにさせれば吊り下げ部として機能する。                  
【００３７】
図11，12は、座台２に保持部５を組み込んだ実施形態のゴミ箱保持具１を示している。このゴミ箱保持具１は、図11，12に示すように、座台２に、横軸５０ａ，５０ａを介して揺動（転倒状態から直立状態に揺動、及びその逆））自在に取り付けられている側面板５０と、前記側面板５０に対して蝶番５１ａ，５２ａにより観音開き可能に取り付けられた前・後面板５１，５２とを有している。そして、図12に示す組立状態においては、側面板５０及び前・後面板５１，５２により保持部５が形成される。なお、座台２に組立可能な吊り下げ部３を同等の要領で備えるようにすることもできる。
【００３８】
他方、座台２は、板材で構成しても枠材で構成してもよい。
【００３９】
また、上記実施例は、自動販売機の側方にゴミ箱９を路面から浮かした状態で着脱自在に取り付けるためのゴミ箱保持具１であるが、着脱不能であってもよい。
【図面の簡単な説明】
【００４０】
【図１】この発明の実施例１の自動販売機のゴミ箱保持具の斜視図。
【図２】前記ゴミ箱保持具の分解斜視図。
【図３】前記自動販売機に設置されたゴミ箱保持具によりゴミ箱が吊り下げられている状態の部分断面図。
【図４】実施例１のゴミ箱保持具と類似するものによりゴミ箱が保持されている状態の部分断面図。
【図５】この発明の実施例２の自動販売機のゴミ箱保持具の斜視図。
【図６】スライドレールを介して座台が自動販売機に取り付けられており、前記座台が自動販売機の底部内に位置している状態の斜視図。
【図７】前記座台が自動販売機の底部外に位置している状態の斜視図。
【図８】前記スライドレールの断面図。
【図９】他の実施の形態のゴミ箱保持具の分解斜視図。
【図１０】図９のゴミ箱保持具の斜視図。
【図１１】他の実施の形態のゴミ箱保持具の斜視図。
【図１２】図11のゴミ箱保持具を組み立てた状態を示す斜視図。
【符号の説明】
【００４１】
Ｊ    自動販売機
１    ゴミ箱保持具
２    座台
３    吊り下げ部
４    取付部
５    保持部
６    スライドレール
７    枠体
９    ゴミ箱
【図１】
2005346201.tif 000003
【図２】
2005346201.tif 000004
【図３】
2005346201.tif 000005
【図４】
2005346201.tif 000006
【図５】
2005346201.tif 000007
【図６】
2005346201.tif 000008
【図７】
2005346201.tif 000009
【図８】
2005346201.tif 000010
【図９】
2005346201.tif 000011
【図１０】
2005346201.tif 000012
【図１１】
2005346201.tif 000013
【図１２】
2005346201.tif 000014